(57)【要約】【課題】吸収性物品において、複数回の排泄に対して高い吸収性能を維持する。【解決手段】吸収性物品１の吸収部では、吸収シート２２２の吸収性領域においてシート２２２１，２２２３の間に配置された高吸収性材料２２２２が、排泄物の水分を吸収して膨潤し、高吸収性材料２２２２が存在しない非吸収性領域２２２７と上側吸収層２２１との間、および、非吸収性領域２２２７と下側吸収層２２３との間にそれぞれ、上側吸収層２２１の股下部に形成された開口から長手方向に伸びる空間２２２８が形成される。吸収性物品１では、２回目以降の排泄物の水分を空間２２２８を介して吸収部の長手方向に速やかに広範囲に亘って拡散させることができ、吸収部の広範囲において排泄物の水分を吸収することができる。その結果、吸収性物品１において、複数回の排泄に対して高い吸収性能を維持することが可能とされる。【選択図】図５
2011120710.tif 000002
【特許請求の範囲】
【請求項１】
着用者からの排泄物を受ける吸収性物品であって、
透液性のトップシートと、
撥水性または不透液性のバックシートと、
前記トップシートと前記バックシートとの間に配置される吸収部と、
を備え、
前記吸収部が、
着用者の股間部に対向する位置に開口が形成された繊維集合層を有する上側吸収層と、
前記上側吸収層と前記バックシートとの間に配置されて前記開口の下側を覆う吸収シートと、
を備え、
前記吸収シートが、
２枚のシートと、
前記２枚のシートの間に配置され、前記２枚のシートのうち少なくとも一方に固定された高吸収性材料と、
を備え、
前記２枚のシートの間において、前記高吸収性材料の密度が周囲に比べて低い、または、前記高吸収性材料が存在しない低密度領域が、前記開口に重なる位置から前記吸収部の長手方向に沿って線状または網目状に連続して広がることを特徴とする吸収性物品。
【請求項２】
請求項１に記載の吸収性物品であって、
前記低密度領域に前記高吸収性材料が存在せず、前記２枚のシートが前記低密度領域において互いに接合されることを特徴とする吸収性物品。
【請求項３】
請求項２に記載の吸収性物品であって、
前記２枚のシートの前記低密度領域における接合が熱融着接合であることを特徴とする吸収性物品。
【請求項４】
請求項１ないし３のいずれかに記載の吸収性物品であって、
前記低密度領域が、網目状であることを特徴とする吸収性物品。
【請求項５】
請求項１ないし４のいずれかに記載の吸収性物品であって、
前記２枚のシートのうち前記上側吸収層と前記高吸収性材料との間に配置されるシートが親水性であることを特徴とする吸収性物品。
【請求項６】
請求項１ないし５のいずれかに記載の吸収性物品であって、
前記上側吸収層が、１０重量％以上７０重量％以下の高吸収性材料を含むことを特徴とする吸収性物品。
【請求項７】
請求項１ないし６のいずれかに記載の吸収性物品であって、
前記上側吸収層が、前記開口の縁部に沿うとともに前記トップシートに向かって突出する凸部を有することを特徴とする吸収性物品。
【請求項８】
請求項１ないし７のいずれかに記載の吸収性物品であって、
前記吸収部が、前記吸収シートと前記バックシートとの間に配置される繊維集合層を有する下側吸収層をさらに備えることを特徴とする吸収性物品。
【発明の詳細な説明】
【技術分野】
【０００１】
本発明は、着用者からの排泄物を受ける吸収性物品に関する。
【背景技術】
【０００２】
従来より、使い捨ておむつや補助吸収具等の吸収性物品として、トップシートとバックシートとの間に粉砕パルプ等により形成された吸収部を設けたものが使用されている。特許文献１ないし４では、使い捨ておむつの吸収部として、２枚のキャリア層の間に設けられた複数のポケット領域に高吸収性材料を配置した吸収性シートと、パルプ等の繊維集合層とを積層したものが提案されている。
【０００３】
特許文献５では、開口を有する上層コアを親水性不織布を介して下層コア上に積層した吸収部が開示されている。特許文献５の使い捨ておむつでは、排泄物の水分は、上層コアの上面から吸収されるとともに、上層コアの開口を介して親水性不織布にて受けられて拡散され、上層コアと下層コアとの界面からも吸収される。また、特許文献６では、上層コアの開口内の空間に拡散層が設けられた使い捨て吸収性物品が提案されている。
【先行技術文献】
【特許文献】
【０００４】
【特許文献１】特表平０９−５０４２０６号公報
【特許文献２】特表平０９−５０４２０７号公報
【特許文献３】特表平０９−５０４２０８号公報
【特許文献４】特表平０９−５０４２１０号公報
【特許文献５】特開平０８−１９１８５７号公報
【特許文献６】特開２００５−１８５６１６号公報
【発明の概要】
【発明が解決しようとする課題】
【０００５】
ところで、使い捨ておむつ等に使用されるＳＡＰ（Super Absorbent Polymer）等の高吸収性材料は、パルプ等の繊維集合層に比べて水分の吸収が緩やかであるため、特許文献１ないし４の使い捨ておむつのように、パルプ等の繊維集合層上に高吸収性材料を有する吸収性シートを配置すると、排泄物の水分が吸収性シートにより吸収される前に大きく広がって着用者の肌に付着したり、使い捨ておむつの外部へと漏出してしまうおそれがある。
【０００６】
特許文献５および６の使い捨ておむつでは、下層コアが比較的吸収速度が大きいパルプ等の繊維集合層であるため、上層コアの開口を通過した排泄物の水分は、親水性不織布により大きく拡散される前に下層コアにより吸収される。このため、排泄物の水分は、上層コアおよび下層コアの開口近傍の部位に主に吸収されることとなり、上層コアおよび下層コアの全体を水分吸収に効率的に利用することができない。したがって、１回の排泄後、使い捨ておむつを交換する前に再度排泄が行われた場合、排泄物の水分の一部が吸収されずに開口から逆流し、着用者の肌に広範囲に亘って付着したり、使い捨ておむつの外部に漏出してしまうおそれがある。また、１回目の排泄により、開口近傍において、上層コアおよび下層コアが水分を吸収して膨張し、隙間なく互いに当接するため、２回目以降の排泄が行われる際に、開口を通過した排泄物の水分はさらに拡散されにくくなる。
【０００７】
本発明は、上記課題に鑑みなされたものであり、吸収性物品において、複数回の排泄に対して高い吸収性能を維持することを目的としている。
【課題を解決するための手段】
【０００８】
請求項１に記載の発明は、着用者からの排泄物を受ける吸収性物品であって、透液性のトップシートと、撥水性または不透液性のバックシートと、前記トップシートと前記バックシートとの間に配置される吸収部とを備え、前記吸収部が、着用者の股間部に対向する位置に開口が形成された繊維集合層を有する上側吸収層と、前記上側吸収層と前記バックシートとの間に配置されて前記開口の下側を覆う吸収シートとを備え、前記吸収シートが、２枚のシートと、前記２枚のシートの間に配置され、前記２枚のシートのうち少なくとも一方に固定された高吸収性材料とを備え、前記２枚のシートの間において、前記高吸収性材料の密度が周囲に比べて低い、または、前記高吸収性材料が存在しない低密度領域が、前記開口に重なる位置から前記吸収部の長手方向に沿って線状または網目状に連続して広がる。
【０００９】
請求項２に記載の発明は、請求項１に記載の吸収性物品であって、前記低密度領域に前記高吸収性材料が存在せず、前記２枚のシートが前記低密度領域において互いに接合される。
【００１０】
請求項３に記載の発明は、請求項２に記載の吸収性物品であって、前記２枚のシートの前記低密度領域における接合が熱融着接合である。
【００１１】
請求項４に記載の発明は、請求項１ないし３のいずれかに記載の吸収性物品であって、前記低密度領域が、網目状である。
【００１２】
請求項５に記載の発明は、請求項１ないし４のいずれかに記載の吸収性物品であって、前記２枚のシートのうち前記上側吸収層と前記高吸収性材料との間に配置されるシートが親水性である。
【００１３】
請求項６に記載の発明は、請求項１ないし５のいずれかに記載の吸収性物品であって、前記上側吸収層が、１０重量％以上７０重量％以下の高吸収性材料を含む。
【００１４】
請求項７に記載の発明は、請求項１ないし６のいずれかに記載の吸収性物品であって、前記上側吸収層が、前記開口の縁部に沿うとともに前記トップシートに向かって突出する凸部を有する。
【００１５】
請求項８に記載の発明は、請求項１ないし７のいずれかに記載の吸収性物品であって、前記吸収部が、前記吸収シートと前記バックシートとの間に配置される繊維集合層を有する下側吸収層をさらに備える。
【発明の効果】
【００１６】
本発明では、複数回の排泄に対して高い吸収性能を維持することができる。請求項２ないし５の発明では、排泄物の水分を吸収コアと吸収シートとの間においてより広範囲に亘って拡散させることができる。
【図面の簡単な説明】
【００１７】
【図１】第１の実施の形態に係る吸収性物品の平面図である。
【図２】吸収性物品の断面図である。
【図３】吸収シートの平面図である。
【図４】吸収性物品の断面図である。
【図５】吸収性物品の断面図である。
【図６】吸収性物品の他の例を示す断面図である。
【図７】吸収性物品の他の例を示す断面図である。
【図８】第２の実施の形態に係る吸収性物品の吸収シートの平面図である。
【図９】吸収性物品の他の例を示す断面図である。
【発明を実施するための形態】
【００１８】
図１は、本発明の第１の実施の形態に係る吸収性物品１を長手方向に広げた状態にて示す平面図である。吸収性物品１は、着用者が着用する外装物品である使い捨ておむつ等の内側に取り付けられ、着用者からの排泄物を受ける補助吸収具である。図１では、着用者に接する面（以下、「上面」という。）を手前側にして吸収性物品１を描いている。
【００１９】
図２は、吸収性物品１を図１中に示すＡ−Ａの位置にて長手方向（すなわち、図１中における上下方向）に垂直な面で切断した断面図である。図１および図２に示すように、吸収性物品１は、略シート状の本体部２、および、本体部２の両側部上（すなわち、図１および図２中における左右両側）に配置されて本体部２の長手方向のおよそ全長に亘る一対のサイドシート３を備える。図２では、図示の都合上、吸収性物品１の各構成を離して描いている。
【００２０】
図１および図２に示すように、本体部２は、吸収部２２、吸収部２２の一方の主面である上面を覆う透液性のトップシート２１、および、吸収部２２の他方の主面である下面を覆う撥水性または不透液性のバックシート２３を備える。トップシート２１の左右の両側部は、ホットメルト接着剤を介して一対のサイドシート３に接合され、一対のサイドシート３は吸収部２２の左右両側においてホットメルト接着剤を介してバックシート２３に接合される。また、吸収部２２の長手方向の両側では、トップシート２１および一対のサイドシート３がホットメルト接着剤を介してバックシート２３に接合される。図１では、図の理解を容易にするために、トップシート２１とバックシート２３との間に配置された吸収部２２の構成部材の輪郭を太破線にて描いている。
【００２１】
本実施の形態では、吸収部２２の図１中の下側の部位２２８の幅方向（すなわち、図１中における左右方向）の幅は、図１中の上側の部位２２９の幅方向の幅よりも小さい。以下の説明では、吸収部２２の部位２２８を「幅狭部２２８」と呼び、部位２２９を「幅広部２２９」という。幅広部２２９の図１中における上端部の幅は、幅広部２２９の最大幅よりも小さい。吸収性物品１が男性の着用者に使用される際には、幅広部２２９が着用者の腹側の肌に接し、幅狭部２２８が着用者の背側の肌に接するように吸収性物品１が使い捨ておむつ等の内側に取り付けられる。また、吸収性物品１が、女性の着用者に使用される際には、男性の場合とは反対に、幅狭部２２８が着用者の腹側の肌に接し、幅広部２２９が着用者の背側の肌に接するように吸収性物品１が使い捨ておむつ等の内側に取り付けられる。
【００２２】
図２に示すように、サイドシート３の幅方向の外側の部位３３は、トップシート２１の幅方向のエッジ近傍の部位、並びに、吸収部２２およびバックシート２３のトップシート２１から露出する部位に、長手方向の全長に亘ってホットメルト接着剤を介して接合される。以下の説明では、一対のサイドシート３のそれぞれの外側の部位３３を「接合部３３」といい、接合部３３の幅方向の内側において接合部３３に連続する部位３４を「側壁部３４」という。サイドシート３とトップシート２１やバックシート２３等との接合は、熱融着接合や超音波接合等により行われてもよい。
【００２３】
一対の側壁部３４はそれぞれ、本体部２の両側部上において長手方向のおよそ全長に亘って伸びており、図１に示すように、長手方向の両端部である側壁端部３４１においてホットメルト接着剤により（あるいは、熱融着接合または超音波接合により）本体部２上に固定される。２つの側壁端部３４１の間の起立部３４２では、長手方向に伸びる弾性部材３２が、起立部３４２の内側のエッジ近傍（すなわち、自由端近傍）にホットメルト接着剤により接合されており、弾性部材３２が収縮することにより、図２に示すように、起立部３４２が着用者に向かって起立し、着用者の脚の付け根近傍に当接する立体ギャザーとなる。
【００２４】
サイドシート３は、疎水性繊維（例えば、ポリプロピレン、ポリエチレン、ポリエステル、ポリアミド、ナイロン）にて形成された撥水性または不透液性の不織布（例えば、スパンボンド不織布やメルトブロー不織布、ＳＭＳ（スパンボンド・メルトブロー・スパンボンド）不織布）を、長手方向に伸びる折り曲げ線にて２つ折りにし、折り重ねられた２つの部位の間に弾性部材３２を挟むことにより形成される。弾性部材３２としては、例えば、ポリウレタン糸、帯状のポリウレタンフィルム、糸状または帯状の天然ゴム等が用いられ、本実施の形態では、ポリウレタン糸が利用される。
【００２５】
本体部２のトップシート２１は、透液性のシート材料、例えば、親水性繊維により形成された不織布であり、着用者からの排泄物の水分を速やかに捕捉して吸収部２２へと移動させる。トップシート２１として利用される不織布は、例えば、ポイントボンド不織布やエアスルー不織布、スパンレース不織布、スパンボンド不織布であり、これらの不織布を形成する親水性繊維としては通常、セルロースやレーヨン、コットン等が用いられる。なお、トップシート２１として、表面を界面活性剤により親水処理した疎水性繊維（例えば、ポリプロピレン、ポリエチレン、ポリエステル、ポリアミド、ナイロン）にて形成された透液性の不織布や、多孔性のプラスチックフィルムが利用されてもよい。本実施の形態では、目付が１０ｇ／ｍ２以上３５ｇ／ｍ２以下のエアスルー不織布がトップシート２１として利用される。
【００２６】
バックシート２３としては、撥水性または不透液性の不織布やプラスチックフィルム、あるいは、これらの不織布とプラスチックフィルムとが積層された積層シートが利用され、バックシート２３に到達した排泄物の水分等が、本体部２の外部にしみ出すことが防止される。バックシート２３に利用される不織布としては、例えば、疎水性繊維にて形成されたスパンボンド不織布やメルトブロー不織布、ＳＭＳ不織布があり、必要に応じて撥水処理が施される。バックシート２３にプラスチックフィルムが利用される場合、吸収性物品１のムレを防止して着用者の快適性を向上するという観点からは、透湿性（通気性）を有するプラスチックフィルムが利用されることが好ましい。本実施の形態では、目付が１０ｇ／ｍ２以上４０ｇ／ｍ２以下の透湿性を有するプラスチックフィルムがバックシート２３として利用される。
【００２７】
吸収部２２は、図２に示すように、開口２２１１が形成された上側吸収層２２１、上側吸収層２２１の下側（すなわち、上側吸収層２２１とバックシート２３との間）に配置されて開口２２１１の下側を覆う吸収シート２２２、および、吸収シート２２２の下側（すなわち、吸収シート２２２とバックシート２３との間）に配置される下側吸収層２２３を備える。
【００２８】
上側吸収層２２１は、着用者の股間部に対向する位置に上記開口２２１１が形成された繊維集合層２２１２、および、繊維集合層２２１２に混合されて保持される高吸収性材料２２１３を備える。繊維集合層２２１２は、例えば、セルロースやレーヨン、コットン等の再生親水性繊維、合成繊維、パルプ繊維等により形成され、高吸収性材料２２１３としては、高吸収性ポリマー（ＳＡＰ（Super Absorbent Polymer））や高吸収性ファイバー（ＳＡＦ（Super Absorbent Fiber））等が利用される。本実施の形態では、解繊されたパルプ繊維を１００〜４００ｇ／ｍ２程度積層することにより繊維集合層２２１２が形成され、高吸収性材料２２１３としてポリアクリル酸系やセルロース系、でんぷん・アクリロニトリル系等の粒状の吸水性樹脂が利用される。上側吸収層２２１は、好ましくは、１０重量％以上７０重量％以下の高吸収性材料２２１３を含む。図２では、図示の都合上、高吸収性材料２２１３を実際よりも大きく描いており、高吸収性材料２２１３の個数も実際よりも少なく描いている（後述する高吸収性材料２２２２，２２３２においても同様）。
【００２９】
図１に示すように、平面視において、上側吸収層２２１は長手方向に伸びる略長方形であり、開口２２１１は長手方向に伸びる長円形である。また、開口２２１１の両側部は一対のサイドシート３と重なっている。本実施の形態では、上側吸収層２２１の長手方向の略中央における開口２２１１の幅は、上側吸収層２２１の幅の１０％以上５０％以下である。上側吸収層２２１は、図２に示すように、開口２２１１の縁部全周に沿うとともにトップシート２１に向かって突出する凸部２２１４を有する。凸部２２１４の高さ（すなわち、突出厚さ）は、好ましくは、上側吸収層２２１の凸部２２１４の周囲の厚さの１０％以上８０％以下である。
【００３０】
図１に示すように、吸収シート２２２は長手方向に伸びる略長方形であり、平面視において上側吸収層２２１にほぼ重なる。吸収シート２２２は、図２に示すように、２枚の透液性のシート２２２１，２２２３、および、積層されたシート２２２１，２２２３の間に配置される高吸収性材料２２２２を備える。シート２２２１，２２２３は好ましくは親水性とされ、例えば、ポイントボンド不織布やエアスルー不織布、スパンレース不織布、あるいは、ティッシュペーパーがシート２２２１，２２２３として利用される。高吸収性材料２２２２としては、上述の高吸収性材料２２１３と同様の材料が利用され、シート２２２１および／またはシート２２２３上に直線状や曲線状等に塗布された接着剤（図示省略）により、高吸収性材料２２２２がシート２２２１およびシート２２２３に固定される。シート２２２１，シート２２２３上への接着剤の塗布では、それぞれが短い直線状の複数の接着剤のラインを繊維状に重ね合わせてもよい。
【００３１】
本実施の形態では、シート２２２１，２２２３として目付が１０ｇ／ｍ２以上５０ｇ／ｍ２以下のエアスルー不織布またはスパンレース不織布が利用され、目付３ｇ／ｍ２以上５０ｇ／ｍ２以下にてシート２２２１，２２２３のいずれかに塗工されたゴム系のホットメルト接着剤により高吸収性材料２２２２がシート２２２１，２２２３に接着される。高吸収性材料２２２２の目付は、好ましくは、１００ｇ／ｍ２以上２５０ｇ／ｍ２以下とされる。
【００３２】
図３は、吸収シート２２２を示す平面図である。図３では、高吸収性材料２２２２（図２参照）が配置される複数（本実施の形態では、４つ）の領域２２２４に平行斜線を付すとともに、上側吸収層２２１の開口２２１１を二点鎖線にて示す（図８においても同様。）。図３に示すように、複数の領域２２２４は吸収部２２の幅方向に配列されており、それぞれが吸収部２２の長手方向に連続して伸びる帯状である。以下の説明では、ストライプ状に配列された複数の領域２２２４をまとめて「吸収性領域２２２６」と呼ぶ。
【００３３】
吸収性領域２２２６の間（すなわち、隣接する各２つの領域２２２４の間）の複数の領域２２２５はそれぞれ、２枚のシート２２２１，２２２３の間において高吸収性材料２２２２が存在しない領域２２２５となっており、各領域２２２５は、平面視において開口２２１１に重なる位置から吸収部２２の長手方向に沿って線状に連続して伸びる。以下の説明では、ストライプ状に配列された複数の領域２２２５をまとめて「非吸収性領域２２２７」と呼ぶ。非吸収性領域２２２７は、周囲の吸収性領域２２２６に比べて高吸収性材料２２２２の密度が低い低密度領域と捉えることもできる。吸収シート２２２では、吸収部２２の長手方向に沿って線状に連続して広がる非吸収性領域２２２７において、図２に示すシート２２２１とシート２２２３とが熱融着接合により互いに接合されることにより、吸収性領域２２２６の複数の領域２２２４がそれぞれ他の領域２２２４から離間し、一の領域２２２４に配置された高吸収性材料２２２２が、他の領域２２２４に移動することが防止される。
【００３４】
下側吸収層２２３は、図１に示すように、平面視において上側吸収層２２１および吸収シート２２２よりも大きく、下側吸収層２２３の平面視における形状は、上述の吸収部２２の形状に等しい。下側吸収層２２３は、図２に示すように、繊維集合層２２３１、および、繊維集合層２２３１に混合されて保持される高吸収性材料２２３２を備え、好ましくは、１０重量％以上７０重量％以下の高吸収性材料２２３２を含む。繊維集合層２２３１は、上述の上側吸収層２２１の繊維集合層２２１２と同様に、例えば、セルロースやレーヨン、コットン等の再生親水性繊維、合成繊維、パルプ繊維等により形成され、本実施の形態では、解繊されたパルプ繊維を１００〜４００ｇ／ｍ２程度積層することにより形成される。高吸収性材料２２３２としては、上側吸収層２２１の高吸収性材料２２１３と同様に、高吸収性ポリマーや高吸収性ファイバー等が利用され、本実施の形態では、ポリアクリル酸系やセルロース系、でんぷん・アクリロニトリル系等の粒状の吸水性樹脂が利用される。
【００３５】
吸収性物品１では、上側吸収層２２１における開口２２１１の内側面、および、吸収シート２２２の開口２２１１を閉塞する部位（すなわち、開口２２１１から露出する部位）がトップシート２１により被覆されることにより、着用者の股間部に対向する凹部が形成されており、着用者から排泄された尿等の排泄物は当該凹部に収容される。排泄物の水分は、トップシート２１を介して吸収シート２２２の開口２２１１を閉塞する部位へと導かれ、吸収シート２２２の上側のシート２２２１により周囲へと（すなわち、長手方向および幅方向へと）拡散されて吸収シート２２２の高吸収性材料２２２２、および、上側吸収層２２１により吸収される。
【００３６】
高吸収性材料２２２２は、上側吸収層２２１の繊維集合層２２１２に比べて吸収速度は小さい一方で吸収量は大きいため、シート２２２１により拡散された水分は、その一部が上側吸収層２２１により迅速に吸収された後、主に残りが吸収シート２２２により吸収されて高吸収性材料２２２２により保持される。また、吸収シート２２２により吸収された水分のうちの一部は、非吸収性領域２２２７を介して下側吸収層２２３へと導かれ、下側吸収層２２３により吸収される。水分を吸収した高吸収性材料２２２２は、図４に示すように膨潤する。吸収シート２２２では、高吸収性材料２２２２の膨潤により吸収性領域２２２６の厚さが増大し、吸収性領域２２２６の上面が上側吸収層２２１を押圧し、吸収性領域２２２６の下面が下側吸収層２２３を押圧する。
【００３７】
また、非吸収性領域２２２７では、２枚のシート２２２１，２２２３が互いに接合されているため、非吸収性領域２２２７は膨張しない。図５は、吸収性物品１を図１中に示すＢ−Ｂの位置にて長手方向に垂直な面で切断した断面図である。非吸収性領域２２２７の存在により、吸収シート２２２の非吸収性領域２２２７と上側吸収層２２１との間、および、非吸収性領域２２２７と下側吸収層２２３との間にそれぞれ、開口２２１１（図３参照）から長手方向に伸びる空間２２２８が形成される。
【００３８】
補助吸収具や使い捨ておむつ等の吸収性物品は、使用状況により、着用者からの複数回の排泄を受けることがあるが、本実施の形態に係る吸収性物品１では、１回目の排泄物の水分を吸収した後も、吸収部２２に開口２２１１から長手方向に伸びる複数の空間２２２８が形成されるため、２回目以降の排泄物の水分を空間２２２８を介して吸収部２２の長手方向に速やかに広範囲に亘って拡散させることができ、吸収部２２の広範囲において排泄物の水分を吸収することができる。その結果、吸収性物品１において、複数回の排泄に対して高い吸収性能を維持する（すなわち、複数回の排泄における水分を十分に吸収することができる大きな吸収量を有する）ことが可能となる。
【００３９】
また、空間２２２８を介して長手方向に拡散された水分は、空間２２２８の上側に位置する吸収速度が比較的大きい上側吸収層２２１によりその一部が迅速に吸収された後、空間２２２８の左右両側および下側に位置する吸収量が比較的大きい高吸収性材料２２２２により残りが吸収される。このため、比較的多量の尿等の排泄物が排泄された場合であっても、排泄物の水分が空間２２２８から開口２２１１へと逆流することが防止され、水分が着用者の肌に広範囲に亘って付着することを防止することができる。
【００４０】
吸収部２２では、吸収シート２２２の２枚のシート２２２１，２２２３のうち、上側吸収層２２１と高吸収性材料２２２２との間に配置されるシート２２２１が親水性であることにより、排泄物の水分を上側吸収層２２１と吸収シート２２２との間において迅速かつ広範囲に亘って拡散させることができる。また、高吸収性材料２２２２と下側吸収層２２３との間に配置されるシート２２２３も親水性であることにより、排泄物の水分を下側吸収層２２３と吸収シート２２２との間においても迅速かつ広範囲に亘って拡散させることができる。吸収シート２２２では、熱融着接合により、非吸収性領域２２２７においてシート２２２１，２２２３を容易かつ確実に接合することができる。
【００４１】
吸収部２２では、繊維集合層２２１２を有する上側吸収層２２１が、１０重量％以上の高吸収性材料２２１３を含むことにより、上側吸収層２２１を大型化することなく上側吸収層２２１の吸収量を増大することができる。また、上側吸収層２２１が、７０重量％以下の高吸収性材料２２１３を含むことにより、上側吸収層２２１の吸収速度の低下を抑制しつつ上側吸収層２２１の吸収量を増大することができる。
【００４２】
吸収性物品１では、図２に示すように、上側吸収層２２１が開口２２１１の縁部に沿う凸部２２１４を有することにより、開口２２１１の内側に排泄された排泄物が、開口２２１１から外側へと流出してトップシート２１上に広がることを抑制することができる。その結果、排泄物が着用者の肌に広範囲に亘って付着することを防止することができる。また、吸収性物品１では、吸収シート２２２の下側に下側吸収層２２３が設けられることにより、吸収部２２の吸収量をより増大することができる。さらに、下側吸収層２２３が、上側吸収層２２１と同様に、１０重量％以上７０重量％以下の高吸収性材料２２３２を含むことにより、下側吸収層２２３を大型化することなく、かつ、下側吸収層２２３の吸収速度の低下を抑制しつつ下側吸収層２２３の吸収量を増大することができる。
【００４３】
図６は、他の吸収シートの例を示す図であり、上述の図５に対応する位置における断面図である。図６に示す吸収性物品１の吸収シート２２２ａでは、吸収性領域２２２６の複数の領域２２２４の間に位置する複数の領域２２２５にも高吸収性材料２２２２が存在する。複数の領域２２２５は、高吸収性材料２２２２の密度が周囲の吸収性領域２２２６に比べて低い低密度領域２２２７ａである。吸収性物品１では、吸収部２２において排泄物の水分を吸収することにより、図７に示すように、吸収シート２２２ａの高吸収性材料２２２２が吸収性領域２２２６および低密度領域２２２７ａにおいて膨潤して吸収シート２２２ａの厚さが増大するが、低密度領域２２２７ａの厚さは吸収性領域２２２６（すなわち、高密度領域）の厚さよりも小さいため、上側吸収層２２１と低密度領域２２２７ａとの間、および、下側吸収層２２３と低密度領域２２２７ａとの間に、開口２２１１（図３参照）から長手方向に伸びる複数の空間２２２８が形成される。これにより、２回目以降の排泄物の水分を空間２２２８を介して吸収部２２の長手方向に速やかに広範囲に亘って拡散させることができ、吸収部２２の広範囲において排泄物の水分を吸収することができる。その結果、図６に示す吸収性物品１においても、複数回の排泄に対して高い吸収性能を維持することが可能となる。
【００４４】
ただし、空間２２２８を大きくして２回目以降の排泄物の水分をより速やかに、かつ、より広範囲に亘って拡散させるという観点からは、複数の領域２２２５（図３参照）において２枚のシート２２２１，２２２３が互いに接合されることが好ましい。
【００４５】
次に、本発明の第２の実施の形態に係る吸収性物品について説明する。第２の実施の形態に係る吸収性物品は、図３に示す吸収シート２２２に変えて、図８に示す吸収シート２２２ｂを備える点を除き、図１ないし図３に示す吸収性物品１と同様の構造を有する。以下の説明では、第２の実施の形態に係る吸収性物品の構成のうち、吸収性物品１の各構成に対応する構成に同符号を付す。
【００４６】
図８に示すように、吸収シート２２２ｂでは、マトリクス状に配置された（すなわち、長手方向および幅方向に２次元配置された）複数の矩形状の領域２２２４ａが、高吸収性材料２２２２（図２参照）が配置される吸収性領域２２２６であり、複数の領域２２２４ａの間の網目状の領域２２２５ａは、高吸収性材料２２２２が存在しない非吸収性領域２２２７である（周囲に比べて高吸収性材料２２２２の密度が低い低密度領域と捉えることもできる。）。非吸収性領域２２２７は、開口２２１１に重なる位置から吸収部２２（図１参照）の長手方向に沿って網目状に連続して広がっており、吸収シート２２２ｂの２枚のシート２２２１，２２２３（図２参照）は、非吸収性領域２２２７において熱融着接合により互いに接合される。
【００４７】
第２の実施の形態に係る吸収性物品では、第１の実施の形態と同様に、吸収部２２において排泄物の水分を吸収することにより吸収シート２２２ｂの高吸収性材料２２２２が膨潤し、上側吸収層２２１（図５参照）と非吸収性領域２２２７との間、および、下側吸収層２２３（図５参照）と非吸収性領域２２２７との間に、開口２２１１から長手方向に沿って網目状に広がる空間２２２８（図５参照）が形成される。これにより、２回目以降の排泄物の水分を空間２２２８を介して吸収部２２の長手方向および幅方向に速やかに広範囲に亘って拡散させることができ、吸収部２２の広範囲において排泄物の水分を吸収することができる。その結果、吸収性物品において、複数回の排泄に対して高い吸収性能を維持することが可能となる。
【００４８】
第２の実施の形態に係る吸収性物品では、空間２２２８内に導かれた排泄物が吸収部２２の幅方向にも移動可能であるため、排泄物の水分をより速やかに、かつ、より広範囲に亘って拡散させることができる。一方、第１の実施の形態に係る吸収性物品１は、吸収シート２２２のシート２２２１，２２２３の間に比較的多量の高吸収性材料２２２２を保持することができるため、吸収シート２２２の吸収量を容易に増大させることができる。
【００４９】
以上、本発明の実施の形態について説明してきたが、本発明は上記実施の形態に限定されるものではなく、様々な変更が可能である。
【００５０】
例えば、吸収部２２（図１参照）において、図９に示すように、上側吸収層２２１の幅は、吸収シート２２２の幅および下側吸収層２２３の幅よりも大きくてもよい。また、図２に示す上側吸収層２２１において、開口２２１１の内側に排泄された排泄物がトップシート２１側へと流出することが防止（または抑制）されるのであれば、開口２２１１の周囲の凸部２２１４は省略されてもよい。
【００５１】
第１の実施の形態に係る吸収シート２２２では、上述のように、複数の直線状の領域２２２５を有する非吸収性領域２２２７が設けられるが、例えば、１つの直線状の領域２２２５のみが非吸収性領域２２２７として吸収シート２２２に設けられてもよい。また、領域２２２５は、例えば、蛇行する線状とされてもよく、鋸歯状の線状とされてもよい。第２の実施の形態に係る吸収性物品の吸収シート２２２ｂでは、網目状の領域２２２５ａに、領域２２２４に比べて低い密度にて高吸収性材料２２２２が配置されてもよい。
【００５２】
上記実施の形態に係る吸収シートでは、非吸収性領域２２２７におけるシート２２２１，２２２３の接合は、例えば、超音波接合やホットメルト接着剤等による接着により行われてもよい。また、高吸収性材料２２２２は必ずしもシート２２２１，２２２３の双方に固定される必要はなく、２枚のシート２２２１，２２２３のうち少なくとも一方に固定されていればよい。
【００５３】
吸収部２２では、上側吸収層２２１の股下部に複数の開口が形成されてもよい。また、吸収部２２の吸収量が十分に確保できる場合には、下側吸収層２２３は省略されてもよく、この場合、吸収シートの下側のシート２２２３は、撥水性または疎水性のシートとされてもよい。なお、吸収部２２の幅は、長手方向の全長に亘ってほぼ等しくてもよい。
【００５４】
上述の吸収性物品の構造は、上端に胴部開口を有するとともに下部に一対の脚部開口を有するパンツタイプの使い捨ておむつ、着用者の腹側に当接する部位と背側に当接する部位とを腰回りで止着して着用するテープタイプの使い捨ておむつ、これらの使い捨ておむつ等の内部に取り付けられて使用される軽失禁用の補助吸収具、あるいは、生理用ナプキンやパンティライナー等の様々な吸収性物品に適用されてよい。
【符号の説明】
【００５５】
１    吸収性物品
２１    トップシート
２２    吸収部
２３    バックシート
２２１    上側吸収層
２２２，２２２ａ，２２２ｂ    吸収シート
２２３    下側吸収層
２２１１    開口
２２１２，２２３１    繊維集合層
２２１３，２２２２    高吸収性材料
２２１４    凸部
２２２１，２２２３    シート
２２２７    非吸収性領域
２２２７ａ    低密度領域
【図１】
2011120710.tif 000003
【図２】
2011120710.tif 000004
【図３】
2011120710.tif 000005
【図４】
2011120710.tif 000006
【図５】
2011120710.tif 000007
【図６】
2011120710.tif 000008
【図７】
2011120710.tif 000009
【図８】
2011120710.tif 000010
【図９】
2011120710.tif 000011